(57)【要約】      （修正有）【課題】計測物に配置した巻尺から離間した状態であっても、計測者が計測対象物を計測しやすいと共に、巻尺を使用する方向の如何に拘わらず計測者が計測しやすい巻尺を提供する。【解決手段】巻尺本体１１の幅方向端縁部において、最小単位の計測寸法に亘って形成されると共に最小単位の計測寸法を置いて形成された複数の面状目盛１５、１６と、巻尺本体１１の長さ方向に対して斜めに配置された目盛数値１３とを有している。【選択図】図３
2011232314.tif 000002
【特許請求の範囲】
【請求項１】
巻尺本体の幅方向端縁部において、最小単位の計測寸法に亘って形成されると共に最小単位の計測寸法を置いて形成された複数の面状目盛と、巻尺本体の長さ方向に対して斜めに配置された目盛数値とを有していることを特徴とする巻尺。
【請求項２】
上記面状目盛は、上記最小の計測寸法を幅寸法として方形状に形成され、上記方形状の面状目盛の幅方向端縁部により計測対象物を計測することを特徴とする。
【請求項３】
上記最小単位の計測寸法は１ｍｍであって、１ｍｍを幅寸法とする方形状の面状目盛が１ｍｍ置きに形成されていると共に、５ｍｍ及び各ｃｍを指標する面状目盛は大型に形成されていることを特徴とする請求項２記載の巻尺。
【請求項４】
上記５ｍｍ及び各ｃｍに対応する面状目盛は、巻尺本体の内方へ突出する先端部を有することを特徴とする請求項３記載の巻尺。
【請求項５】
上記目盛数値は、ｃｍ表記の目盛数値とｍ表記の目盛数値とからなり、１００ｃｍ毎に、ｍ表記の数値が記載されていると共に、上記ｍ表記の各目盛数値は、ｃｍ表記の目盛数値とは異なる色彩で表記されていることを特徴とする請求項１記載の巻尺。
【請求項６】
上記面状目盛及び斜めに配置された目盛数値は巻尺本体の一側面側に配置されていると共に、他側面側には最小単位毎に設けられた線状目盛及び長さ方向に対して直角に配置された目盛数値が配設されていることを特徴とする請求項１記載の巻尺。
【発明の詳細な説明】
【技術分野】
【０００１】
本発明は巻尺の改良に関する。
【背景技術】
【０００２】
建築現場等において様々な種類の巻尺が使用されている。一般に、巻尺には最小計測単位毎に配置された線状の目盛が配置されると共に、巻尺本体の幅方向に沿って長さ方向に対して直角に配置された目盛数値が表記され、計測対象物を上記線状の目盛に対応する目盛数値により計測する。
【０００３】
このような一般の巻尺は、計測者が計測対象物に接近した状態で、上記線状の目盛が明確に視認できる距離の範囲において計測する場合には不都合はない。
しかしながら、計測者が計測対象物から所定距離、離間した状態で、上記のような線状の目盛が形成された巻尺を使用して計測対象物の計測を行う場合には、最小計測単位毎の線状の目盛は非常に細く形成され、かつ、相互に非常に近接した配置であることから、巻尺から離間した位置からは線状の目盛を認識することは困難であり、結果的に計測対象物の計測を行うことが困難な場合がある、という不具合があった。
【０００４】
また、このような従来の巻尺を水平方向またはこれに順ずる方向に沿って伸ばして使用する場合には、上記目盛数値は直立した状態となり、計測者は上記目盛数値を容易に認識することができる。
しかしながら、このような従来の巻尺を垂直方向もしくはこれに準ずる立て方向に伸ばして使用する場合には、上記目盛数値は横方向に「寝て」しまい、計測者は目盛数値を非常に読みにくい、という不具合もあった。
【発明の開示】
【発明が解決しようとする課題】
【０００５】
本発明の課題は、計測者が計測物に配置した巻尺から離間した場合であっても、計測者が計測対象物を計測しやすいと共に、巻尺を使用する方向の如何に拘わらず計測者が計測しやすい巻尺を提供することにある。
【課題を解決するための手段】
【０００６】
上記課題を解決するため、請求項１記載の発明にあっては、巻尺本体の幅方向端縁部において、最小単位の計測寸法に亘って形成されると共に最小単位の計測寸法を置いて形成された複数の面状目盛と、巻尺本体の長さ方向に対して斜めに配置された目盛数値とを有していることを特徴とする。
ここで「面状目盛」とは、ＪＩＳ（日本工業規格）において規定されている「境目盛」であり、定義によれば「一定の長さを交互に異なった色で表し、色の境界を目盛線の中心とみなす目盛」である。また、「線状目盛」とは、同様に「線目盛」であり、「線で表す目盛」である。
従って、請求項１記載の発明にあっては、計測者は上記方形状の面状目盛の端縁部により計測対象物を計測する。
【０００７】
請求項２記載の発明にあっては、上記面状目盛は、上記最小の計測寸法を幅寸法とする方形状に形成され、上記方形状の面状目盛の幅方向端縁部により計測対象物を計測することを特徴とする。
従って、請求項２記載の発明にあっては、計測者は、離間した位置からでも上記面状目盛を認識して、上記面状目盛の幅方向端縁部を基準として計測を行う。
【０００８】
請求項３記載の発明にあっては、上記最小単位の計測寸法は１ｍｍであって、１ｍｍを幅寸法とする方形状の面状目盛が１ｍｍ置きに形成されていると共に、５ｍｍ及び各ｃｍを指標する面状目盛は大型に形成されていることを特徴とする。
従って、大まかな計測の基本となる５ｍｍ及び各ｃｍは大型に形成されていることから、計測者は、容易に５ｍｍ及び各ｃｍを指標する面状目盛を容易に視認することができ計測対象物を計測することができる。
【０００９】
請求項４記載の発明にあっては、上記５ｍｍ及び各ｃｍに対応する面状目盛は、上記５ｍｍ及び各ｃｍを指標する巻尺本体の内方へ突出する先端部を有することを特徴とする。
従って、請求項４記載の発明にあっては、計測者は上記先端部を目印にして５ｍｍ及び各ｃｍを把握して計測する。
【００１０】
請求項５記載の発明にあっては、上記目盛数値は、ｃｍ表記の目盛数値とｍ表記の目盛数値とからなり、１００ｃｍ毎に、ｍ表記の数値が記載されていると共に、上記ｍ表記の各目盛数値は、ｃｍ表記の目盛数値とは異なる色彩で表記されていることを特徴とする。
【００１１】
従って、請求項５記載の発明にあっては、計測者は、１００ｃｍ毎に記載されているｍ表記の数値を把握して計測することができる。
【００１２】
請求項６記載の発明にあっては、上記面状目盛及び斜めに配置された目盛数値は巻尺本体の一側面側に配置されていると共に、他側面側には最小単位毎に設けられた線状目盛及び長さ方向に対して直角に配置された目盛数値が配設されていることを特徴とする。
【００１３】
従って、請求項６記載の発明にあっては、線状目盛及び面状目盛、斜めに配置された目盛数値及び長さ方向に直角に配置された目盛数値の双方を使用して計測することができる。
【発明の効果】
【００１４】
請求項１記載の発明にあっては、計測最小単位寸法に亘って形成された面状の目盛が計測最小単位置きに形成されていることから、計測者は、上記面状目盛の端縁部により計測対象物を計測することができる。
従って、従来の一般の巻尺において、計測最小単位毎に表記されている線状目盛は遠方からは視認しにくいが、本発明に係る上記面状の目盛は、線状目盛よりも大型であって、計測者は、面状目盛そのものを離間した位置からでも視認することができることから、巻尺から離間した位置からであっても計測対象物を上記面状目盛を介して一目して容易かつ正確、迅速に計測することができる。
【００１５】
また、請求項１記載の発明にあっては、巻尺本体の長さ方向に対して斜めに配置された目盛数値を有していることから、本発明に係る巻尺を水平方向に沿って伸ばして使用した場合であっても、垂直方向に沿って伸ばして使用した場合であっても、目盛数値は斜めに配置されることから、計測者は、垂直方向及び水平方向のいずれの方向においても目盛数値を容易かつ正確、迅速に読み取ることができる。
【００１６】
その結果、従来の巻尺のように、目盛数値が巻尺本体の幅方向に沿って直立すると共に長さ方向に対して直角に配置されている場合は、水平方向に沿って巻尺が配置された場合には読みとれるが垂直方向沿って配置された場合にはほとんど読みとれない、という事態を防止することができる。
【００１７】
請求項２記載の発明にあっては、計測者は、離間した位置からでも上記面状目盛を視認して、上記面状目盛の幅方向端縁部を基準として計測を行う。
その結果、計測対象物と上記面状目盛の端縁部との位置関係において、計測者は離間した位置からも計測対象物の計測を行うことができる。
【００１８】
請求項３記載の発明にあっては、上記最小単位の計測寸法は１ｍｍであって、１ｍｍを幅寸法とする方形状の面状目盛が１ｍｍ置きに形成されていると共に、５ｍｍ及び各ｃｍを指標する面状目盛は大型に形成されていることから、５ｍｍ及び各ｃｍという計測の単位を視認し易く、離れた位置からでも容易に計測対象物を計測することができる。
【００１９】
請求項４記載の発明にあっては、上記５ｍｍ及び各ｃｍに対応する面状目盛は、上記５ｍｍ及び各ｃｍを指標する巻尺本体の内方へ突出する先端部を有することから、請求項３記載の効果に加えて、より５ｍｍ及び１ｃｍの位置を視認して把握しやすい。
【００２０】
請求項５記載の発明にあっては、上記目盛数値は、ｃｍ表記の目盛数値とｍ表記の目盛数値とからなり、１００ｃｍ毎に、ｍ表記の数値が記載されていることから、ｍ単位での計測数値を一目して把握することができる。
【００２１】
請求項６記載の発明にあっては、上記面状目盛及び斜めに配置された目盛数値は巻尺本体の一側面側に配置されていると共に、他側面側には最小単位毎に設けられた線状目盛及び長さ方向に対して直角に配置された目盛数値が配設されていることから、線状目盛及び面状目盛、斜めに配置された目盛数値及び長さ方向に直角に配置された目盛数値の双方を使用して計測することができ、その結果、離間した位置及び近接した位置から計測することもできる。
従って、計測対象物との距離、及びその他、具体的な状況に応じて使い分けることができる巻尺を提供することができる。
【図面の簡単な説明】
【００２２】
【図１】本考案に係る巻尺の一実施の形態を示し、巻尺の一側面を示す平面図である。
【図２】本考案に係る巻尺の一実施の形態を示し、巻尺の他側面を示す平面図である。
【図３】本考案に係る巻尺の一実施の形態を示し、巻尺の一側面を一部拡大して示す平面図である。
【図４】本考案に係る巻尺の他の実施の形態を示す平面図である。
【発明を実施するための最良の形態】
【００２３】
以下、添付図面に示す実施の形態に基づき、本発明を詳細に説明する。
図１に示すように、本実施の形態に係る巻尺１０は、巻尺本体１１の一側面部Ａの幅方向端縁部において、最小単位の計測寸法（１ｍｍ）に亘って形成されると共に最小単位の計測寸法を置いて形成された複数の面状目盛１２と、巻尺本体１１の長さ方向に対して斜めに配置された目盛数値１３とを有している。
【００２４】
また、本実施の形態にあっては、図２に示すように、巻尺本体１１の他側面部Ｂには、計測単位毎に設けられた一般的な線状目盛１９及び幅方向に沿って記載された目盛数値２０が配置されている。本実施の形態にあっては、白地の巻尺本体１１上に黒色印刷により面状目盛１２及目盛数値１３が印刷されている。
【００２５】
図１及び図３に示すように、上記面状目盛１２は、上記最小の計測寸法である１ｍｍを幅寸法とした略正方形状に形成され、上記正方形状の面状目盛１２の幅方向端縁部１４、１４を基準として計測対象物を計測するように構成されている。
【００２６】
本実施の形態にあっては、１ｍｍを幅寸法とする方形状の面状目盛１２が１ｍｍ置きに形成されていると共に、５ｍｍを指標する面状目盛１５及び各ｃｍを指標する面状目盛１６は大型に形成されている。
【００２７】
図３に示すように、上記５ｍｍ及び各ｃｍに対応する面状目盛１５、１６は、巻尺本体１１の内方へ突出する先端部を有している。即ち、５ｍｍに対応する面状目盛１５にあっては、巻尺本体１１の内方へ突出する三角状先端部１５ａが形成されると共に、各ｃｍに対応する面状目盛１６にあっては、同様に巻尺本体１１の内方へ突出する、面状目盛１６本体部１６ｂよりも幅広に形成された三角状先端部１６ａを有している。
【００２８】
また、図１及び図３に示すように、本実施の形態にあっては、ｃｍ単位を指標する面状目盛１６に対応して設けられた各目盛数値１３は、巻尺本体１１の長さ方向に対して４５度に近接した角度で配置されている。
上記目盛数値１３は、ｃｍ表記の目盛数値１３ａとｍ表記の目盛数値１３ｂとからなり、１００ｃｍ毎に、ｍ表記の目盛数値１３ｂが記載されている。なお、本実施の形態にあっては、上記ｍ表記の各目盛数値１３ｂは赤色に形成されると共に、ｃｍ表記の目盛数値１３ａは黒色に形成されている。
【００２９】
以下、本実施の形態に係る巻尺１０の作用について説明する。
本実施の形態に係る巻尺１０を用いて計測対象物である建築物等を計測する場合で、巻尺１０を水平方向に沿って配置して建築物の各部位を計測する場合には、計測者は離間した位置からでも、上記面状目盛１２を視認することができ、上記面状目盛の幅方向端縁部１４、１４を基準として建築物の各部位等を容易かつ、正確、迅速に計測することができる。
この場合、上記各目盛数値１３は長さ方向に対して４５度に近接した角度により形成されていることから、計測者は、容易かつ正確に各目盛数値１３を視認することができる。
【００３０】
また、本実施の形態に係る巻尺１０を用いて計測対象物である建築物等を計測する場合で、巻尺１０を垂直方向に沿って配置して建築物の各部位を計測する場合には、上記同様に計測者は離間した位置からでも、上記面状目盛１２を視認することができ、上記面状目盛の幅方向端縁部１４、１４を基準として建築物の各部位を計測することができる。
さらに、この場合、上記各目盛数値１３は長さ方向に対して４５度に近接した角度により形成されていることから、容易に各目盛数値１３を容易かつ迅速に視認することができる。
【００３１】
なお、本実施の形態にあっては、白地の巻尺本体１１上に黒色印刷により面状目盛１２及目盛数値１３が印刷されている場合を例に説明したが、上記実施の形態に限定されず、図４に示すように、巻尺本体１１において、２ｃｍ置き毎に設けられた目盛数値１３ｂ、１３ｃを包含するように２ｃｍ置きに他の色彩を施した色違い部１８を形成してもよい。
【００３２】
このように色違い部１８を２ｃｍ置きに設けた場合には、上記目盛数値１３の遠方からの視認性がより高まり、離間した位置から巻尺１０により計測対象物を容易かつ迅速に計測することができる。
【符号の説明】
【００３３】
１０  巻尺
１１  巻尺本体
１２  面状目盛
１３  目盛数値
１４  幅方向端縁部
１５  面状目盛
１６  面状目盛
１７  線状目盛
１８  色違い部
１９  線状目盛
２０  目盛数値
【図１】
2011232314.tif 000003
【図２】
2011232314.tif 000004
【図３】
2011232314.tif 000005
【図４】
2011232314.tif 000006